(57)【要約】【課題】シャフトからのヘッド抜けを確実に防止することができ、且つ、シャフトの取付や角度の調整が容易なゴルフクラブヘッド及びゴルフクラブの組立セットを提供する。【解決手段】ゴルフクラブヘッド１０は、上部１０Ａから底部１０Ｂまで貫通するホーゼル孔１２を有するゴルフクラブヘッドである。ホーゼル孔１２は、上部１０Ａから底部１０Ｂに向かって大径となるテーパ形状からなる。又、ゴルフクラブヘッド１０は、ホーゼル孔１２と略同一形状の外形を有し、且つ、ソール面１０Ｃに対して所定角度αで傾斜するシャフト挿入孔１４Ｃが形成された略円筒形状のシャフト取付部材１４を備えている。なお、シャフト挿入孔１４Ｃの角度が異なるシャフト取付部材１４が複数種類用意される。【選択図】図１
2005137542.tif 000002
【特許請求の範囲】
【請求項１】
ヘッドの上部から底部まで貫通し、且つ、前記上部から前記底部に向かって大径となるテーパ形状のホーゼル孔を有するゴルフクラブヘッドであって、前記ホーゼル孔と略同一形状の外形を有し、且つ、該ホーゼル孔に、前記底部側から挿入、固定された略円筒形状のシャフト取付部材を備えてなり、該シャフト取付部材には、前記ヘッドのソール面に対して所定の角度で傾斜し、且つ、前記上部側からシャフトの挿入が可能なシャフト挿入孔が形成されていることを特徴とするゴルフクラブヘッド。
【請求項２】
請求項１において、
前記シャフト取付部材は、周方向に分割された複数の分割部材からなることを特徴とするゴルフクラブヘッド。
【請求項３】
請求項１又は２において、
前記シャフト取付部材におけるシャフト挿入孔が有底とされていることを特徴とするゴルフクラブヘッド。
【請求項４】
請求項１乃至３のいずれかにおいて、
前記シャフト取付部材の外周面と前記ホーゼル孔の間、及び前記シャフト取付部材におけるシャフト挿入孔内周面と前記シャフトの間に充填され、前記シャフト取付部材を固定する接着剤層を有することを特徴とするゴルフクラブヘッド。
【請求項５】
ヘッドの上部から底部まで貫通し、且つ、前記上部から前記底部に向かって大径となるテーパ形状のホーゼル孔を有するゴルフクラブヘッドであって、前記ホーゼル孔における前記底部近傍に挿入、固定された略板状のシャフト支持部材を備えてなり、該シャフト支持部材には、シャフトを挿通・支持可能なシャフト挿通孔が形成されていることを特徴とするゴルフクラブヘッド。
【請求項６】
請求項５において、
前記ホーゼル孔における隙間に充填され、前記シャフト支持部材を固定する接着剤層を有することを特徴とするゴルフクラブヘッド。
【請求項７】
請求項１乃至６のいずれかにおいて、
前記ホーゼル孔における前記上部側の開口部の径を、前記ホーゼル孔に挿入されるシャフトの径と同一にしたこと特徴とするゴルフクラブヘッド。
【請求項８】
シャフトと、ヘッドの上部から底部まで貫通し、且つ、前記上部から前記底部に向かって大径となるテーパ形状のホーゼル孔を有するゴルフクラブヘッド本体と、該ゴルフクラブヘッド本体の前記ホーゼル孔と略同一形状の外形を有し、且つ、該ホーゼル孔に、前記底部側から挿入、固定可能な略円筒形状の部材であって、前記ヘッドのソール面に対して所定の角度で傾斜し、且つ、前記上部側から前記シャフトの挿入が可能なシャフト挿入孔が形成されたシャフト取付部材と、を有してなり、前記シャフト挿入孔の角度が異なるシャフト取付部材が複数種類用意されていることを特徴とするゴルフクラブの組立セット。
【請求項９】
請求項８において、
前記シャフト取付部材は、周方向に分割された複数の分割部材からなることを特徴とするゴルフクラブの組立セット。
【請求項１０】
請求項８又は９において、
前記シャフト取付部材におけるシャフト挿入孔が有底とされていることを特徴とするゴルフクラブの組立セット。
【請求項１１】
シャフトと、ヘッドの上部から底部まで貫通し、且つ、前記上部から前記底部に向かって大径となるテーパ形状のホーゼル孔を有するゴルフクラブヘッド本体と、該ゴルフクラブヘッド本体の前記ホーゼル孔における前記底部近傍に挿入、固定可能な略板状の部材であって、前記シャフトを挿通・支持可能なシャフト挿通孔が形成されたシャフト支持部材と、を有してなり、前記シャフト挿通孔の位置又は角度が異なるシャフト支持部材が複数種類用意されていることを特徴とするゴルフクラブの組立セット。
【請求項１２】
請求項８乃至１１のいずれかにおいて、
前記ホーゼル孔における前記上部側の開口部の径を、前記ホーゼル孔に挿入されるシャフトの径と同一にしたこと特徴とするゴルフクラブの組立セット。
【発明の詳細な説明】
【技術分野】
【０００１】
本発明は、ゴルフクラブヘッド及びゴルフクラブの組立セットに関する。
【背景技術】
【０００２】
従来、ゴルフクラブヘッドに対するシャフトの取り付け角度（いわゆるライ角、ロフト角、フェイス角）を変更可能としたゴルフクラブが広く知られている。
【０００３】
例えば、図１０に示される従来公知のゴルフクラブ１のヘッド２は、その上部２Ａから底部２Ｂに向かって形成されたボア３を有し、このボア３内には、ヘッド２とシャフト４を連結するホーゼル５が挿入・固定されている（特許文献１参照）。又、このホーゼル５には、ボア３の中心軸Ｌ１に対して所定の角度で傾斜した縦孔５Ａが形成されており、この縦孔５Ａにシャフト４が挿入・固定される構造となっている。
【０００４】
このゴルフクラブ１では、縦孔５Ａの傾斜角度が異なる複数種類のホーゼル５を用意することによって、ヘッド２に対するシャフト４の取り付け角度が、使用者ごとに調整可能とされている。
【０００５】
【特許文献１】特開平１１−２２６１５５号公報
【発明の開示】
【発明が解決しようとする課題】
【０００６】
しかしながら、この従来公知のゴルフクラブ１では、ホーゼル５の先端が先細りであるためスイング時の力がホーゼル５からヘッド２が抜ける方向に作用し、ヘッド抜けが生じやすいといった問題点があった。
【０００７】
又、ホーゼル５をヘッド２の上部２Ａ側に突出させた形状としているため、ホーゼル５とシャフト４を強固に固着することができる一方で、ヘッド２の重心が高くなり、ゴルフクラブ１の性能向上が難しいといった問題があった。
【０００８】
本発明は、このような問題点を解決するためになされたものであって、シャフトからのヘッド抜けを確実に防止することができ、且つ、シャフトの取付や角度の調整が容易な、高性能のゴルフクラブヘッド及びゴルフクラブの組立セットを提供することを目的とする。
【課題を解決するための手段】
【０００９】
本発明は、ヘッドの上部から底部まで貫通し、且つ、前記上部から前記底部に向かって大径となるテーパ形状のホーゼル孔を有するゴルフクラブヘッドであって、前記ホーゼル孔と略同一形状の外形を有し、且つ、該ホーゼル孔に、前記底部側から挿入、固定された略円筒形状のシャフト取付部材を備えてなり、該シャフト取付部材には、前記ヘッドのソール面に対して所定の角度で傾斜し、且つ、前記上部側からシャフトの挿入が可能なシャフト挿入孔が形成されていることによって、上記課題を解決したものである。
【００１０】
なお、前記シャフト取付部材は、周方向に分割された複数の分割部材からなるものでもよく、又、前記シャフト取付部材におけるシャフト挿入孔が有底とされていてもよい。
【００１１】
更に、この場合、前記シャフト取付部材の外周面と前記ホーゼル孔との間、及び前記シャフト取付部材におけるシャフト挿入孔内周面と前記シャフトとの間に充填され、前記シャフト取付部材を固定する接着剤層を有してもよい。
【００１２】
更に又、前記ホーゼル孔における前記上部側の開口部の径を、前記ホーゼル孔に挿入されるシャフトの径と同一にしてもよい。
【００１３】
又、本発明は、ヘッドの上部から底部まで貫通し、且つ、前記上部から前記底部に向かって大径となるテーパ形状のホーゼル孔を有するゴルフクラブヘッドであって、前記ホーゼル孔における前記底部近傍に挿入、固定された略板状のシャフト支持部材を備えてなり、該シャフト支持部材には、シャフトを挿通・支持可能なシャフト挿通孔が形成されていることによって、上記同様の課題を解決したものである。
【００１４】
更に、この場合、前記ホーゼル孔における隙間に充填され、前記シャフト支持部材を固定する接着剤層を有してもよい。
【００１５】
なお、シャフトと、ヘッドの上部から底部まで貫通し、且つ、前記上部から前記底部に向かって大径となるテーパ形状のホーゼル孔を有するゴルフクラブヘッド本体と、該ゴルフクラブヘッド本体の前記ホーゼル孔と略同一形状の外形を有し、且つ、該ホーゼル孔に、前記底部側から挿入、固定可能な略円筒形状の部材であって、前記ヘッドのソール面に対して所定の角度で傾斜し、且つ、前記上部側から前記シャフトの挿入が可能なシャフト挿入孔が形成されたシャフト取付部材と、を有してなり、前記シャフト挿入孔の角度が異なるシャフト取付部材が複数種類用意されたゴルフクラブの組立セットとしてもよい。
【００１６】
又、シャフトと、ヘッドの上部から底部まで貫通し、且つ、前記上部から前記底部に向かって大径となるテーパ形状のホーゼル孔を有するゴルフクラブヘッド本体と、該ゴルフクラブヘッド本体の前記ホーゼル孔における前記底部近傍に挿入、固定可能な略板状の部材であって、前記シャフトを挿通・支持可能なシャフト挿通孔が形成されたシャフト支持部材と、を有してなり、前記シャフト挿通孔の位置又は角度が異なるシャフト支持部材が複数種類用意されたゴルフクラブの組立セットとしてもよい。
【発明の効果】
【００１７】
本発明に係るゴルフクラブヘッド及びゴルフクラブの組立セットによれば、シャフトからのヘッド抜けを確実に防止することができ、且つ、シャフトの取付や角度の調整が容易である。
【発明を実施するための最良の形態】
【００１８】
ヘッドの上部から底部まで貫通し、且つ、前記上部から前記底部に向かって大径となるテーパ形状のホーゼル孔を有するゴルフクラブヘッドであって、前記ホーゼル孔と略同一形状の外形を有し、且つ、該ホーゼル孔に、前記底部側から挿入、固定された略円筒形状のシャフト取付部材を備えてなり、該シャフト取付部材には、前記ヘッドのソール面に対して所定の角度で傾斜し、且つ、前記上部側からシャフトの挿入が可能なシャフト挿入孔が形成することによって、上記目的を達成することができる。
【００１９】
又、ヘッドの上部から底部まで貫通し、且つ、前記上部から前記底部に向かって大径となるテーパ形状のホーゼル孔を有するゴルフクラブヘッドであって、前記ホーゼル孔における前記底部近傍に挿入、固定された略板状のシャフト支持部材を備えてなり、該シャフト支持部材には、シャフトを挿通・支持可能なシャフト挿通孔を形成することによっても、上記目的を達成することができる。
【実施例１】
【００２０】
図１〜図３に示されるように、本発明の第１実施例に係るゴルフクラブヘッド１０は、上部１０Ａから底部１０Ｂまで貫通するホーゼル孔１２を有するゴルフクラブヘッドである。
【００２１】
ホーゼル孔１２は、上部１０Ａから底部１０Ｂに向かって大径となるテーパ形状からなり、ホーゼル孔１２における上部１０Ａ側の開口部１２Ａの径は、ホーゼル孔１２に挿入されるシャフト１６の径と同一とされている。又、このホーゼル孔１２には、ホーゼル孔１２と略同一形状の外形を有する略円筒形状のシャフト取付部材１４が底部１０Ｂ側から挿入、固定されている。
【００２２】
シャフト取付部材１４は、図４の分解斜視図に示されるように、この例では、第１取付ユニット１４Ａと第２取付ユニット１４Ｂの２つの分割部材によって構成されている。又、シャフト取付部材１４には、その中心軸Ｌ１がソール面１０Ｃに対して所定角度αで傾斜し、且つ、上面１０Ａ側からシャフト１６が挿入可能なシャフト挿入孔１４Ｃが形成されている。
【００２３】
ゴルフクラブヘッド１０にシャフト１６を取り付ける場合には、シャフト取付部材１４の外周面及びシャフト挿入孔１４Ｃの内周面に接着剤を塗布した状態で、シャフト１６を上部１０Ａ側からホーゼル孔１２に挿入すると共に、シャフト取付部材１４を底部１０Ｂ側からホーゼル孔１２に挿入、固定する。そして、接着剤を硬化させた接着剤層１５によってゴルフクラブヘッド１０、シャフト取付部材１４及びシャフト１６を固着する。
【００２４】
本発明の第１実施例に係るゴルフクラブヘッド１０は、ヘッド１０の上部１０Ａから底部１０Ｂまで貫通し、且つ、上部１０Ａから底部１０Ｂに向かって大径となるテーパ形状のホーゼル孔１２を有するゴルフクラブヘッドであって、ホーゼル孔１２と略同一形状の外形を有し、且つ、ホーゼル孔１２に、底部１０Ｂ側から挿入、固定された略円筒形状のシャフト取付部材１４を備えてなり、シャフト取付部材１４には、ヘッド１０のソール面１０Ｃに対して所定の角度αで傾斜し、且つ、上部１０Ａ側からシャフト１６の挿入が可能なシャフト挿入孔１４Ｃが形成されているため、シャフト１６からのヘッド１０の抜けを確実に防止することができる上に、シャフト１６の取付や角度の調整が容易である。
【００２５】
特に、図５に示されるように、シャフト２０と、ゴルフクラブヘッド本体２２と、シャフト取付部材２４、２６、２８を有してなり、シャフト挿入孔２４Ａ、２６Ａ、２８Ａの角度α１、α２、α３が異なるシャフト取付部材２４、２６、２８を複数種類用意したゴルフクラブ組立セットとすれば、ユーザーニーズに応じたゴルフクラブを低コストで提供することができる上に、シャフト２０の角度の変更が容易となる。なお、ゴルフクラブ組立セットにおけるシャフト取付部材の種類は、本実施例に限定されるものではなく、例えば、シャフト取付部材は２種類でもよく、又、４種類以上用意してもよい。
【００２６】
又、シャフト取付部材１４を、第１取付ユニット１４Ａと第２取付ユニット１４Ｂの２つの分割部材によって構成したため、シャフト取付部材１４を容易にホーゼル孔１２に挿入、固定することができ、シャフト１６の取付や角度の調整が一層容易となる。
【００２７】
更に、ホーゼル孔１２における上部１０Ａ側の開口部１２Ａの径は、ホーゼル孔１２に挿入されるシャフト１６の径と同一とされているため、開口部１２Ａを支点としてシャフト１６の角度調整を行うことができ、この点においてもシャフト１６の取付や角度の調整が容易となっている。
【００２８】
なお、ゴルフクラブヘッド１０はホーゼルを用いていないため、ゴルフクラブヘッド１０の軽量化を図ることができる上に、いわゆるスルーボア型のゴルフクラブヘッドであるため、低重心で、ボールが上がりやすく、クラブ性能が高い。
【実施例２】
【００２９】
図６に示されるゴルフクラブヘッド３０は、上記第１実施例におけるゴルフクラブヘッド１０のシャフト取付部材１４に代えて、シャフト挿入孔３２Ａが有底とされたシャフト取付部材３２を備えている。
【００３０】
本発明の第２実施例に係るゴルフクラブヘッド３０によれば、シャフト１６をゴルフクラブヘッド３０に一層強固に取り付けることができる。
【実施例３】
【００３１】
図７及び図８に示されるゴルフクラブヘッド４０は、上記第１実施例におけるゴルフクラブヘッド１０のシャフト取付部材１４に代えて、ホーゼル孔１２における底部４０Ｂ近傍に挿入、固定された略板状のシャフト支持部材４２を備えている。又、このシャフト支持部材４２には、シャフト１６を挿通・支持可能なシャフト挿通孔４２Ａが形成されている。
【００３２】
ゴルフクラブヘッド４０にシャフト１６を取り付ける場合には、シャフト支持部材４２をホーゼル孔１２に挿入し、このホーゼル孔１２に形成された切り欠き部１２Ｂに固定すると共に、シャフト１６をシャフト支持部材４２のシャフト挿通孔４２Ａに挿通する。そして、ホーゼル孔１２における隙間を接着剤によって充填した後、接着剤を硬化させ、接着剤層４４によってゴルフクラブヘッド４０、シャフト支持部材４２及びシャフト１６を固着する。
【００３３】
本発明の第３実施例に係るゴルフクラブヘッド４０によれば、シャフト１６の取付や角度の調整が容易となり、上記ゴルフクラブヘッド１０と同様の効果を得ることができる。
【００３４】
なお、図９に示されるように、シャフト５０と、ゴルフクラブヘッド本体５２と、シャフト支持部材５４、５６、５８を有してなり、シャフト挿通孔５４Ａ、５６Ａ、５８Ａの位置又は角度が異なるシャフト支持部材５４、５６、５８を複数種類用意したゴルフクラブ組立セットとすれば、ユーザーニーズに応じたゴルフクラブを低コストで提供することができる。なお、ゴルフクラブ組立セットにおけるシャフト支持部材の種類は、本実施例に限定されるものではなく、例えば、シャフト支持部材は２種類でもよく、又、４種類以上用意してもよい。
【００３５】
なお、本発明に係るゴルフクラブヘッド及びゴルフクラブ組立セットは、上記実施例で示した形状や構造等に限定されるものではない。
【図面の簡単な説明】
【００３６】
【図１】本発明の第１実施例に係るゴルフクラブヘッドの概略断面図
【図２】図１におけるゴルフクラブヘッドの概略上面図
【図３】図１におけるゴルフクラブヘッドの概略底面図
【図４】図１におけるゴルフクラブヘッドのシャフト取付部材の概略斜視図
【図５】本発明の第１実施例に係るゴルフクラブを用いたゴルフクラブ組立セットの概略図
【図６】本発明の第２実施例に係るゴルフクラブヘッドの概略断面図
【図７】本発明の第３実施例に係るゴルフクラブヘッドの概略断面図
【図８】図７におけるシャフト支持部材の概略斜視図
【図９】本発明の第３実施例に係るゴルフクラブを用いたゴルフクラブ組立セットの概略図
【図１０】従来のゴルフクラブヘッドの概略断面図
【符号の説明】
【００３７】
Ｌ１、Ｌ２…中心軸
α、α１、α２、α３…角度
１…ゴルフクラブ
２、１０、３０、４０…ゴルフクラブヘッド
３…ボア
４、１６、２０、５０…シャフト
５…ホーゼル
５Ａ…縦孔
２Ａ、１０Ａ、３０Ａ、４０Ａ…上部
２Ｂ、１０Ｂ、３０Ｂ、４０Ｂ…底部
１０Ｃ…ソール面
１２、４２…ホーゼル孔
１２Ａ…開口部
１２Ｂ…切り欠き部
１４、２４、２６、２８、３２…シャフト取付部材
１４Ａ…第１取付ユニット
１４Ｂ…第２取付ユニット
１４Ｃ、２４Ａ、２６Ａ、２８Ａ、３２Ａ…シャフト挿入孔
１５、４４…接着剤層
２２、５２…ゴルフクラブヘッド本体
４２、５４、５６、５８…シャフト支持部材
４２Ａ、５４Ａ，５６Ａ、５８Ａ…シャフト挿通孔
【図１】
2005137542.tif 000003
【図２】
2005137542.tif 000004
【図３】
2005137542.tif 000005
【図４】
2005137542.tif 000006
【図５】
2005137542.tif 000007
【図６】
2005137542.tif 000008
【図７】
2005137542.tif 000009
【図８】
2005137542.tif 000010
【図９】
2005137542.tif 000011
【図１０】
2005137542.tif 000012